(57)【要約】【課題】昇降路内に設置されたガイドレール固定部材への索状体の係合、及び、ガイドレール固定部材と乗かごに設置された外れ止めとの間への索状体の挟み込みを防止可能なエレベータ装置を提供する。【解決手段】エレベータ装置に、昇降路１内を昇降する乗かごと、昇降路１の壁面２や昇降路１内に組み立てられた建築骨組３に直接又はレールブラケット４を介して固定された乗かごのガイドレール６と、乗かごに固定され、ガイドレール６に摺動自在に係合される外れ止め７と、昇降路１内に吊り下げられた索状体８とを備える。レールブラケット４及びガイドレール６の設置位置と索状体８の吊り下げ位置との間に、索状体８の移動を規制する索状体プロテクタ９を配置する。【選択図】図１
2015020818.tif 000002
【特許請求の範囲】
【請求項１】
昇降路内を昇降する乗かごと、前記昇降路の壁面又は前記昇降路内に組み立てられた建築骨組にガイドレール固定部材を介して固定された前記乗かごのガイドレールと、前記乗かごに固定され、前記ガイドレールに摺動自在に係合される外れ止めと、前記昇降路内に吊り下げられた索状体とを備えたエレベータ装置において、
前記ガイドレール固定部材の設置位置と前記索状体の吊り下げ位置との間に、前記索状体の移動を規制する索状体プロテクタを配置したことを特徴とするエレベータ装置。
【請求項２】
請求項１に記載のエレベータ装置において、
前記ガイドレール固定部材は、前記昇降路の壁面又は前記建築骨組に設置されたレールブラケットと、当該レールブラケットに取り付けられるレールクリップと、これらレールブラケット、レールクリップ及び前記ガイドレールを一体に結合するボルトとからなり、前記索状体プロテクタは、前記レールブラケットの側方部分をプロテクトするレールブラケットプロテクト部と、前記ガイドレールの側方部分をプロテクトするガイドレールプロテクト部とを有することを特徴とするエレベータ装置。
【請求項３】
請求項１又は請求項２のいずれかに記載のエレベータ装置において、
前記索状体プロテクタは、固定ブラケットを介して、前記昇降路の壁面又は前記固定部材に固定したことを特徴とするエレベータ装置。
【請求項４】
請求項１乃至請求項３のいずれかに記載のエレベータ装置において、
前記索状体プロテクタは、複数のプロテクタ部材を長さ方向に連結することにより構成されることを特徴とするエレベータ装置。
【発明の詳細な説明】
【技術分野】
【０００１】
本発明は、エレベータ装置に係り、特に、昇降路内に備えられたガイドレール固定部材への各種索状体の係合を防止するための手段に関する。
【背景技術】
【０００２】
一般に、エレベータ装置は、昇降路内を昇降する乗かごや釣合い錘等の昇降体と、昇降体を案内するガイドレールと、ガイドレールを昇降路の壁面又は昇降路内に組み立てられた建築骨組等に直接又はレールブラケットを介して固定するレールクリップと、昇降体にその端部が連結されると共に、中間部が巻上機に巻き掛けられる主ロープを備えている。また、エレベータ装置には、安全装置として、乗かごの昇降によって駆動されるループ状のガバナロープが昇降路の全長に亘って張架されている。このガバナロープは昇降路の頂部に設置された調速機のプーリに巻き掛けられ、昇降路底部側において張り車を吊っている。このほか、エレベータ装置には、昇降路の固定側から乗かご内に電力及び信号を伝送するテールコードが乗かごに連結されると共に、乗かごと釣合い錘とを下方で連結する釣合いチェーン（ケーブル／ロープ）が備えられている。
【０００３】
上述の各種索状体、即ち、主ロープ、ガバナロープ、テールコード及び釣合いチェーン（ケーブル／ロープ）は、昇降路内の狭い空間を利用して配置されており、昇降体の昇降や強風又は地震によるビルの揺れに伴って揺動する。特に、近年においては、ビルの高層化に伴って索状体が長尺化すると共に、ビルの柔軟化に伴って索状体が搖動し易くなっているので、索状体が昇降路内に設置されたレールブラケットやレールクリップ等のガイドレール固定部材と係合する恐れが高くなっている。
【０００４】
本願の出願人は、先に、このような不都合の発生を防止するため、レールブラケットにレールクリップを連結するボルトの頭部付近に、当該ボルト頭部への索状体の接近を防止する索状体接近防止手段を設けたエレベータ装置を提案した（例えば特許文献１の要約書参照。）。特許文献１に記載の発明によれば、索状体がガイドレール固定部材を構成するボルトの頭部に係合しないので、信頼性のあるエレベータ装置を得ることができる。
【先行技術文献】
【特許文献】
【０００５】
【特許文献１】特開２０１０−２５４４１８号公報
【発明の概要】
【発明が解決しようとする課題】
【０００６】
しかしながら、特許文献１に記載のエレベータ装置は、図４に示すように、昇降路内に設置されたレールブラケット１０１、レールクリップ１０２及びガイドレール１０３、並びに、図示しない乗かごに設置された外れ止め１０４と、その側方部分に吊り下げられた索状体１０５との間に、索状体５の侵入を防止するためのプロテクタ手段を備えていないので、レールブラケット１０１やレールクリップ１０２に対する索状体１０５の係合、及び、レールブラケット１０１と外れ止め１０４との間への索状体１０５の挟み込みを防止できず、この点に更なる改善の余地があることが判明した。
【０００７】
本発明は、このような従来技術の実状に鑑みてなされたものであり、その目的は、昇降路内に設置されたガイドレール固定部材への索状体の係合、及び、ガイドレール固定部材と乗かごに設置された外れ止めとの間への索状体の挟み込みを防止可能で、信頼性の高いエレベータ装置を提供することにある。
【課題を解決するための手段】
【０００８】
本発明は、上述の課題を解決するため、特許請求の範囲に記載の構成を採用する。特許請求の範囲に記載されているように、本発明における上述の課題を解決するための手段の１つは、昇降路内を昇降する乗かごと、前記昇降路の壁面又は前記昇降路内に組み立てられた建築骨組にガイドレール固定部材を介して固定された前記乗かごのガイドレールと、前記乗かごに固定され、前記ガイドレールに摺動自在に係合される外れ止めと、前記昇降路内に吊り下げられた索状体とを備えたエレベータ装置において、前記ガイドレール固定部材の設置位置と前記索状体の吊り下げ位置との間に、前記索状体の移動を規制する索状体プロテクタを配置したことを特徴とする。
【発明の効果】
【０００９】
本発明によると、ガイドレール固定部材の設置位置と索状体の吊り下げ位置との間に、索状体の移動を規制する索状体プロテクタを配置したので、乗かごの昇降動作やビルの揺れに伴って索状体が搖動した場合にも、ガイドレール固定部材への索状体の係合や、ガイドレール固定部材と乗かごに備えられた外れ止めとの間への索状体の挟み込みを確実に防止でき、エレベータ装置の信頼性を高めることができる。
【図面の簡単な説明】
【００１０】
【図１】実施形態に係るエレベータ装置における索状体プロテクタの取付状態を示す昇降路の要部横断面図である。
【図２】図１のＡ方向矢視図である。
【図３】図１のＢ方向矢視図である。
【図４】従来例に係るエレベータ装置におけるガイドレール及び乗かごの外れ止めと索状体との配置を示す図である。
【発明を実施するための形態】
【００１１】
以下、本発明に係るエレベータ装置の実施形態を、図を用いて説明する。なお、本発明の要旨は、以下に記載の実施形態に限定されるものではなく、発明の趣旨に反しない範囲で、適宜変形して実施することができる。
【００１２】
実施形態に係るエレベータは、図１〜図３に示すように、昇降路１の壁面２又は昇降路１内に組み立てられた建築骨組３に、レールブラケット４及びレールクリップ５を介して固定された乗かご（図示省略）のガイドレール６と、図示しない乗かごに固定され、ガイドレール６に摺動自在に係合される外れ止め７と、昇降路１内に吊り下げられた索状体８と、ガイドレール６及び外れ止め７の設定位置と索状体８の吊り下げ位置との間の設置された索状体プロテクタ９とを備えている。
【００１３】
ガイドレール６は、その断面形状が、図１に示すように、基盤部６ａと、該基盤部６ａより垂直に起立された係合部６ｂとからなる略Ｔ字状に形成されており、昇降路１の壁面２又は昇降路１内に組み立てられた建築骨組３に沿って垂直に設置される。ガイドレール６の設置は、図２及び図３に示すように、昇降路１の壁面２又は昇降路１内に組み立てられた建築骨組３に複数のレールブラケット４を所定の間隔を隔てて取り付け、これら複数のレールブラケット４にボルト１１を用いて連結されたレールクリップ５の先端部を、ガイドレール６の基盤部６ａに係合し、ボルト１１を強くレールブラケット４に締結することにより行われる。なお、ガイドレール６は、図２に示すように、複数のガイドレール部材６１を、連結部材１２を用いて長さ方向に連結することにより、所定の長さに形成される。また、ガイドレール６の係合部６ｂには、図１に示すように、外れ止め７が摺動自在に係合される。
【００１４】
索状体プロテクタ９は、金属板を折り曲げ加工することにより形成されており、その断面形状は、図１に示すように、レールブラケット４の側方部分をプロテクトするレールブラケットプロテクト部９ａと、ガイドレール６の基盤部６ａ及びレールクリップ５の側方部分をプロテクトするガイドレールプロテクト部９ｂとを有する。この索状体プロテクタ９も、昇降路１の壁面２又は昇降路１内に組み立てられた建築骨組３に沿って垂直に設置される。索状体プロテクタ９の設置は、図１〜図３に示すように、昇降路１の壁面２又は昇降路１内に組み立てられた建築骨組３に、複数の固定ブラケット１３を所定の間隔を隔てて取り付け、該固定ブラケット１３にボルト１４を用いて索状体プロテクタ９を締結することにより行われる。なお、索状体プロテクタ９は、図２及び図３に示すように、複数のプロテクタ部材９１を長さ方向に連結することにより、所定の長さに形成される。もちろん、索状体プロテクタ９は、レールブラケット４、レールクリップ５、ガイドレール６及び外れ止め７と干渉しない位置に設定される。
【００１５】
このように、本実施形態に係るエレベータ装置は、ガイドレール６及び外れ止め７の設定位置と索状体８の吊り下げ位置との間に、レールブラケットプロテクト部９ａを有する索状体プロテクタ９を設置したので、レールブラケット４、レールクリップ５及びボルト１１よりなるガイドレール固定部材への索状体８の係合を確実に防止できる。また、索状体プロテクタ９には、ガイドレールプロテクト部９ｂを設けたので、レールブラケット４と乗かごに備えられた外れ止め７との間への索状体８の挟み込みを確実に防止することができる。よって、エレベータ装置の信頼性を高めることができる。
【００１６】
なお、前記実施形態においては、レールブラケット４にガイドレール６を固定したが、かかる構成に変えて、昇降路１の壁面２又は昇降路１内に組み立てられた建築骨組３に直接ガイドレール６を固定する構成とすることもできる。この場合にも、前記実施形態と同様の効果を奏する。
【００１７】
また、前記実施形態においては、索状体プロテクタ９にレールブラケットプロテクト部９ａとガイドレールプロテクト部９ｂの双方を設けたが、本発明の要旨はこれに限定されるものではなく、レールブラケットプロテクト部９ａ及びガイドレールプロテクト部９ｂのいずれか一方を設ける構成とすることもできる。
【符号の説明】
【００１８】
１  昇降路
２  昇降路の壁面
３  建築骨組
４  レールブラケット
５  レールクリップ
６  ガイドレール
６ａ  基盤部
６ｂ  係合部
６１  ガイドレール部材
７  外れ止め
８  索状体
９  索状体プロテクタ
９ａ  レールブラケットプロテクト部
９ｂ  ガイドレールプロテクト部
９１  プロテクタ部材
１１  ボルト
１２  連結部材
１３  固定ブラケット
１４  ボルト
【図１】
2015020818.tif 000003
【図２】
2015020818.tif 000004
【図３】
2015020818.tif 000005
【図４】
2015020818.tif 000006